(57)【要約】【課題】体格の小型化を図ること。【解決手段】ノイズ成分を低減させるノイズ低減素子１１、ノイズ低減素子１１の第１接続部が電気的に接続された導電性の第１回路接続部材１２及びノイズ低減素子１１の第２接続部が電気的に接続された導電性の第２回路接続部材１３を備えるフィルタ回路１０と、電線ＷＥ１の芯線ＷＥａの中間接続部ＷＥ１ａを第１回路接続部材１２及び第２回路接続部材１３の内の一方に対して電気的に接続させる電気接続構造３０と、を備え、電気接続構造３０は、第１回路接続部材１２又は第２回路接続部材１３の内の一方に設け、電線ＷＥ１の芯線ＷＥａの中間接続部ＷＥ１ａに対して間接的又は直接的に作用させた弾発力によって電線ＷＥ１の芯線ＷＥａの中間接続部ＷＥ１ａに対して間接的又は直接的に電気接続させる回路側接続体３２を備えること。【選択図】図１
2020010121.tif 000002
【特許請求の範囲】
【請求項１】
ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備えるフィルタ回路と、
電線の芯線の中間接続部を前記第１回路接続部材及び前記第２回路接続部材の内の一方に対して電気的に接続させる電気接続構造と、
を備え、
前記電気接続構造は、前記第１回路接続部材又は前記第２回路接続部材の内の一方に設け、前記電線の前記芯線の前記中間接続部に対して間接的又は直接的に作用させた弾発力によって前記電線の前記芯線の前記中間接続部に対して間接的又は直接的に電気接続させる回路側接続体を備えることを特徴としたノイズフィルタ。
【請求項２】
前記フィルタ回路と前記電線の前記芯線の前記中間接続部と前記電気接続構造とを収容する筐体を備え、
前記筐体は、前記回路側接続体との間で前記電線の前記芯線の前記中間接続部を間接的又は直接的に挟持する挟持体を有することを特徴とした請求項１に記載のノイズフィルタ。
【請求項３】
前記電気接続構造は、前記電線の前記芯線の前記中間接続部に対して物理的且つ電気的に接続される電線側接続体を備え、
前記回路側接続体は、前記電線側接続体に作用させた弾発力によって前記電線の前記芯線の前記中間接続部に対して間接的に電気接続させるものとして形成することを特徴とした請求項１又は２に記載のノイズフィルタ。
【請求項４】
前記電線の前記芯線の前記中間接続部は、前記電線の前記芯線を成す複数本の素線を一纏めに固着させた部位であり、
前記回路側接続体は、前記電線の前記芯線の前記中間接続部に作用させた弾発力によって当該中間接続部に対して直接的に電気接続させるものとして形成することを特徴とした請求項１又は２に記載のノイズフィルタ。
【請求項５】
電線を含む幹線と、
ノイズ成分を低減させるノイズフィルタと、
を備え、
前記ノイズフィルタは、
ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備えるフィルタ回路と、
前記電線の芯線の中間接続部を前記第１回路接続部材及び前記第２回路接続部材の内の一方に対して電気的に接続させる電気接続構造と、
を備え、
前記電気接続構造は、前記第１回路接続部材又は前記第２回路接続部材の内の一方に設け、前記電線の前記芯線の前記中間接続部に対して間接的又は直接的に作用させた弾発力によって前記電線の前記芯線の前記中間接続部に対して間接的又は直接的に電気接続させる回路側接続体を備えることを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１に開示されている。
【先行技術文献】
【特許文献】
【０００３】
【特許文献１】特開２０１２−０３９２０１号公報
【発明の概要】
【発明が解決しようとする課題】
【０００４】
ところで、従来のノイズフィルタにおいては、フィルタ回路側に設置された端子金具に対して、ノイズ低減対象電線等の電線の端末に圧着された相手方端子金具を接続させる。その端子金具と相手方端子金具は、それぞれに端子部を備えており、一方の雌型の端子部と他方の雄型の端子部とを互いに挿入嵌合させることによって、フィルタ回路と電線とを電気的に接続させる。この端子金具と相手方端子金具の接続構造は、互いの嵌合状態を保つための機構を具備しなければならず、その小型化にも限度がある。従って、従来のノイズフィルタは、体格の小型化を図る上で、改善の余地がある。
【０００５】
そこで、本発明は、体格の小型化を図り得るノイズフィルタ及びワイヤハーネスを提供することを、その目的とする。
【課題を解決するための手段】
【０００６】
上記目的を達成する為、本発明に係るノイズフィルタは、ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備えるフィルタ回路と、電線の芯線の中間接続部を前記第１回路接続部材及び前記第２回路接続部材の内の一方に対して電気的に接続させる電気接続構造と、を備え、前記電気接続構造は、前記第１回路接続部材又は前記第２回路接続部材の内の一方に設け、前記電線の前記芯線の前記中間接続部に対して間接的又は直接的に作用させた弾発力によって前記電線の前記芯線の前記中間接続部に対して間接的又は直接的に電気接続させる回路側接続体を備えることを特徴としている。
【０００７】
ここで、前記フィルタ回路と前記電線の前記芯線の前記中間接続部と前記電気接続構造とを収容する筐体を備え、前記筐体は、前記回路側接続体との間で前記電線の前記芯線の前記中間接続部を間接的又は直接的に挟持する挟持体を有することが望ましい。
【０００８】
また、前記電気接続構造は、前記電線の前記芯線の前記中間接続部に対して物理的且つ電気的に接続される電線側接続体を備え、前記回路側接続体は、前記電線側接続体に作用させた弾発力によって前記電線の前記芯線の前記中間接続部に対して間接的に電気接続させるものとして形成することが望ましい。
【０００９】
また、前記電線の前記芯線の前記中間接続部は、前記電線の前記芯線を成す複数本の素線を一纏めに固着させた部位であり、前記回路側接続体は、前記電線の前記芯線の前記中間接続部に作用させた弾発力によって当該中間接続部に対して直接的に電気接続させるものとして形成することが望ましい。
【００１０】
また、上記目的を達成する為、本発明に係るワイヤハーネスは、電線を含む幹線と、ノイズ成分を低減させるノイズフィルタと、を備え、前記ノイズフィルタは、ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備えるフィルタ回路と、前記電線の芯線の中間接続部を前記第１回路接続部材及び前記第２回路接続部材の内の一方に対して電気的に接続させる電気接続構造と、を備え、前記電気接続構造は、前記第１回路接続部材又は前記第２回路接続部材の内の一方に設け、前記電線の前記芯線の前記中間接続部に対して間接的又は直接的に作用させた弾発力によって前記電線の前記芯線の前記中間接続部に対して間接的又は直接的に電気接続させる回路側接続体を備えることを特徴としている。
【発明の効果】
【００１１】
本発明に係るノイズフィルタは、電線の中間接続部と回路側接続体との間の電気的な接続構造が、回路側接続体の弾発力を利用するものとなっている。よって、このノイズフィルタは、その接続構造が従来のような雌雄の端子部の嵌合構造となっているものと比較して、電気的な接続構造の小型化が可能になる。従って、このノイズフィルタは、体格の小型化を図ることができる。また、本発明に係るワイヤハーネスは、そのようなノイズフィルタを具備するものであり、このノイズフィルタが得られる効果を奏することができる。
【図面の簡単な説明】
【００１２】
【図１】図１は、実施形態のノイズフィルタ及びワイヤハーネスを示す斜視図である。
【図２】図２は、実施形態のノイズフィルタ及びワイヤハーネスを示す分解斜視図である。
【図３】図３は、実施形態のノイズフィルタ及びワイヤハーネスを別角度から見た分解斜視図である。
【図４】図４は、実施形態のノイズフィルタのフィルタ回路を示す斜視図である。
【図５】図５は、図１のＸ１−Ｘ１線断面とＸ２−Ｘ２線断面とを簡略化して示す断面図である。
【図６】図６は、実施形態のノイズフィルタ及びワイヤハーネスの組付け工程の一部を示す断面図である。
【図７】図７は、実施形態のノイズフィルタのフィルタ回路特性の概念図である。
【図８】図８は、実施形態のノイズフィルタ及びワイヤハーネスの第１変形形態を示す分解斜視図である。
【図９】図９は、実施形態のノイズフィルタ及びワイヤハーネスの第１変形形態を示す斜視図である。
【図１０】図１０は、第１変形形態の第２筐体部材を示す斜視図である。
【図１１】図１１は、実施形態のノイズフィルタ及びワイヤハーネスの第２変形形態を示す分解斜視図である。
【図１２】図１２は、実施形態のノイズフィルタ及びワイヤハーネスの第２変形形態を示す斜視図である。
【図１３】図１３は、実施形態のノイズフィルタ及びワイヤハーネスの第３変形形態を示す斜視図である。
【図１４】図１４は、実施形態のノイズフィルタ及びワイヤハーネスの第４変形形態を示す斜視図である。
【図１５】図１５は、第４変形形態の第１及び第２の回路接続体を示す斜視図である。
【図１６】図１６は、実施形態のノイズフィルタ及びワイヤハーネスの第５変形形態を示す斜視図である。
【図１７】図１７は、実施形態のノイズフィルタ及びワイヤハーネスの第６変形形態を示す分解斜視図である。
【図１８】図１８は、実施形態のノイズフィルタ及びワイヤハーネスの第６変形形態を示す斜視図である。
【図１９】図１９は、図１７のＹ−Ｙ線断面図である。
【図２０】図２０は、図１８のＹ−Ｙ線断面図である。
【発明を実施するための形態】
【００１３】
以下に、本発明に係るノイズフィルタ及びワイヤハーネスの実施形態を図面に基づいて詳細に説明する。尚、この実施形態によりこの発明が限定されるものではない。
【００１４】
［実施形態］
本発明に係るノイズフィルタ及びワイヤハーネスの実施形態の１つを図１から図２０に基づいて説明する。
【００１５】
図１から図３の符号１は、本実施形態のノイズフィルタを示す。このノイズフィルタ１は、２本の電線（第１電線ＷＥ１、第２電線ＷＥ２）の中間部分同士をフィルタ回路で繋いだノイズ低減装置であり、２本の電線の内の一方を接地させ、その内の他方に乗った電気的なノイズ成分をフィルタ回路で低減させる。その２本の電線は、例えば、車両のワイヤハーネスＷＨの幹線ＷＴが備える複数本の電線の内の２本であって、一方の電線がアース線として接地され、他方の電線が電源線として利用される。その電源線には、例えば、デフォッガやハイマウントストップランプ等の負荷が電気的に接続されている。ノイズフィルタ１は、その２本の電線に接続することによって、ワイヤハーネスＷＨの構成要素の１つとなる。以下に例示するワイヤハーネスＷＨにおいては、第１電線ＷＥ１を電源線として利用し、第２電線ＷＥ２をアース線として利用する。第１電線ＷＥ１は、一方の端部が電源（例えば、車両の二次電池）に対して電気的に接続され、他方の端部が負荷に対して電気的に接続されている。また、第２電線ＷＥ２は、一方の端部が接地されている。第１電線ＷＥ１と第２電線ＷＥ２は、各々、導電性の芯線ＷＥａと、この芯線ＷＥａの外周面を覆う絶縁性の被覆ＷＥｂと、を備える。
【００１６】
［ノイズフィルタ１Ａ］
以下においては、このノイズフィルタ１の一例としてのノイズフィルタ１Ａを説明する（図１から図３）。
【００１７】
ノイズフィルタ１Ａは、ノイズ成分を低減させるフィルタ回路１０を備えるノイズ低減装置であり（図１から図３）、例えば、第１電線ＷＥ１に乗った電気的なノイズ成分をフィルタ回路１０で低減させる。
【００１８】
フィルタ回路１０は、第１電線ＷＥ１の中間部分に位置している芯線ＷＥａの一部分と第２電線ＷＥ２の中間部分に位置している芯線ＷＥａの一部分との間に介在させ、それぞれの芯線ＷＥａに対して電気的に接続させる。以下においては、その第１電線ＷＥ１の中間部分に位置している芯線ＷＥａの一部分を「中間接続部ＷＥ１ａ」と称し、かつ、第２電線ＷＥ２の中間部分に位置している芯線ＷＥａの一部分を「中間接続部ＷＥ２ａ」と称する。また、以下においては、その第１電線ＷＥ１の芯線ＷＥａの中間接続部ＷＥ１ａのことを「第１電線ＷＥ１の中間接続部ＷＥ１ａ」と簡略化し、かつ、その第２電線ＷＥ２の芯線ＷＥａの中間接続部ＷＥ２ａのことを「第２電線ＷＥ２の中間接続部ＷＥ２ａ」と簡略化する。
【００１９】
このフィルタ回路１０は、その第１電線ＷＥ１の中間接続部ＷＥ１ａと第２電線ＷＥ２の中間接続部ＷＥ２ａとの間に介在させ、それぞれの中間接続部ＷＥ１ａ，ＷＥ２ａに対して電気的に接続させる（図１）。
【００２０】
フィルタ回路１０は、ノイズ成分を低減させる少なくとも１つのノイズ低減素子１１と、このノイズ低減素子１１の第１接続部（以下、「第１素子接続部」という。）が電気的に接続された導電性の第１接続部材（以下、「第１回路接続部材」という。）１２と、そのノイズ低減素子１１の第２接続部（以下、「第２素子接続部」という。）が電気的に接続された導電性の第２接続部材（以下、「第２回路接続部材」という。）１３と、を備える（図１から図３）。尚、第１素子接続部と第２素子接続部については、図示を省略している。
【００２１】
ノイズ低減素子１１は、このノイズフィルタ１Ａの回路構成でノイズの低減を図り得るものであれば、如何様なものを用いてもよい。例えば、ノイズ低減素子１１としては、コンデンサやコイル等が考えられる。このフィルタ回路１０では、ノイズ低減素子１１として２つのコンデンサを備えており、この２つのコンデンサでノイズの低減を図ることができるように構成する（図１から図３）。
【００２２】
第１回路接続部材１２と第２回路接続部材１３は、ノイズ低減素子１１を介して互いを電気的に接続させる導電部材である。この例示の第１回路接続部材１２と第２回路接続部材１３は、各々、金属等の導電性材料で板状のバスバとして成形されている。
【００２３】
第１回路接続部材１２と第２回路接続部材１３は、各々、平板状の主体１２ａ，１３ａを有する（図１から図３）。このフィルタ回路１０においては、それぞれの主体１２ａ，１３ａが同一の平面上に配置されるように、第１回路接続部材１２と第２回路接続部材１３とを並べて配置している。そして、このフィルタ回路１０においては、第１回路接続部材１２の主体１２ａにノイズ低減素子１１の第１素子接続部を物理的且つ電気的に接続し、かつ、第２回路接続部材１３の主体１３ａにノイズ低減素子１１の第２素子接続部を物理的且つ電気的に接続する。その接続形態としては、ノイズ低減素子１１の第１素子接続部や第２素子接続部の形態に応じて、例えば溶着や半田付け等が適用される。
【００２４】
第１回路接続部材１２は、第１電線ＷＥ１の中間接続部ＷＥ１ａに対して間接的に電気接続させる第１回路側接続体１２ｂを有する（図１から図３）。その第１回路側接続体１２ｂは、後述するように、第１電気接続構造３０の構成要素となる。また、第２回路接続部材１３は、第２電線ＷＥ２の中間接続部ＷＥ２ａに対して間接的に電気接続させる第２回路側接続体１３ｂを有する（図１から図３）。その第２回路側接続体１３ｂは、後述するように、第２電気接続構造４０の構成要素となる。
【００２５】
この例示のフィルタ回路１０においては、２つのノイズ低減素子１１が絶縁性のモールド体１４で覆われている（図１から図３）。そのモールド体１４は、２つのノイズ低減素子１１と第１回路接続部材１２の主体１２ａと第２回路接続部材１３の主体１３ａとの間に注入したモールド剤の固化物であり、２つのノイズ低減素子１１と主体１２ａとの接続部分及び２つのノイズ低減素子１１と主体１３ａとの接続部分についても覆っている。
【００２６】
更に、このノイズフィルタ１Ａは、フィルタ回路１０と第１電線ＷＥ１の中間接続部ＷＥ１ａと第２電線ＷＥ２の中間接続部ＷＥ２ａとを内方の収容室２０ａ（図１）に収容すると共に、第１電線ＷＥ１におけるそれぞれの端部側を内方の収容室２０ａから外方へと引き出し、かつ、第２電線ＷＥ２におけるそれぞれの端部側を内方の収容室２０ａから外方へと引き出す筐体２０を備える（図１から図３）。その筐体２０は、合成樹脂等の絶縁性材料で成形する。この筐体２０は、第１筐体部材２１と第２筐体部材２２とを互いに嵌め合わせることによって、収容室２０ａを形成する。
【００２７】
第１筐体部材２１は、内壁面２１ａ1にフィルタ回路１０が設置される主壁体２１ａと、この主壁体２１ａの周縁部から立設させた周壁体２１ｂ−２１ｅと、を有する（図２）。この例示の第１筐体部材２１は、矩形の平板状の主壁体２１ａと、この主壁体２１ａの４つの辺部から各々垂設させた平板状の第１から第４の周壁体２１ｂ−２１ｅと、を有している。第１筐体部材２１は、第１から第４の周壁体２１ｂ−２１ｅの縁部から成る開口２１ｆを有している。
【００２８】
この第１筐体部材２１の主壁体２１ａの内壁面２１ａ1側には、第１回路接続部材１２と第２回路接続部材１３とを設置する（図１及び図２）。
【００２９】
例えば、第１回路接続部材１２と第２回路接続部材１３は、各々、主体１２ａ，１３ａの壁面を主壁体２１ａの内壁面２１ａ1に載せ置き、その内壁面２１ａ1に係合機構（図示略）で固定する。その係合機構とは、例えば、主壁体２１ａの内壁面２１ａ1の複数箇所に設けた爪部等の係止部で主体を保持するロック機構のことである。また、ここでは、第１回路接続部材１２と第２回路接続部材１３とに対して第１筐体部材２１を一体成形させることによって、第１筐体部材２１の主壁体２１ａの内壁面２１ａ1側に第１回路接続部材１２と第２回路接続部材１３とを設置してもよい。この場合、第１回路接続部材１２と第２回路接続部材１３のそれぞれの主体１２ａ，１３ａにおいては、第１筐体部材２１の主壁体２１ａの内壁面２１ａ1側で壁面を露出させておく。
【００３０】
第２筐体部材２２は、第１筐体部材２１の主壁体２１ａの内壁面２１ａ1に間隔を空けて対向配置される主壁体２２ａを有するものであり、第１筐体部材２１の開口を塞ぐ。この例示の第２筐体部材２２は、更に、その主壁体２２ａの周縁部から立設させた周壁体２２ｂ−２２ｅを有する（図３）。ここでは、矩形の平板状の主壁体２２ａと、この主壁体２２ａの４つの辺部から各々垂設させた平板状の第１から第４の周壁体２２ｂ−２２ｅと、を有している。第２筐体部材２２は、第１から第４の周壁体２２ｂ−２２ｅの縁部から成る開口２２ｆを有している。
【００３１】
この例示の筐体２０においては、第１筐体部材２１と第２筐体部材２２のそれぞれの第１周壁体２１ｂ，２２ｂ同士を対向配置させ、かつ、それぞれの第２周壁体２１ｃ，２２ｃ同士を対向配置させ、かつ、それぞれの第３周壁体２１ｄ，２２ｄ同士を対向配置させ、かつ、それぞれの第４周壁体２１ｅ，２２ｅ同士を対向配置させる。
【００３２】
この例示の筐体２０は、第１電線ＷＥ１と第２電線ＷＥ２とを並列配置状態で収容室２０ａに収容し、その収容室２０ａの中で第１電線ＷＥ１と第２電線ＷＥ２とを併走させる。この筐体２０においては、第１筐体部材２１における対向配置状態の第１周壁体２１ｂ及び第２周壁体２１ｃ並びに第２筐体部材２２における対向配置状態の第１周壁体２２ｂ及び第２周壁体２２ｃから第１電線ＷＥ１と第２電線ＷＥ２とを外方に引き出している。
【００３３】
第１筐体部材２１と第２筐体部材２２のそれぞれの第１周壁体２１ｂ，２２ｂは、各々、第１電線ＷＥ１の一方の端部側を外方に引き出させる第１引出口２１ｂ1，２２ｂ1と、第２電線ＷＥ２の一方の端部側を外方に引き出させる第２引出口２１ｂ2，２２ｂ2と、を有する（図２及び図３）。それぞれの第１周壁体２１ｂ，２２ｂにおいては、第１引出口２１ｂ1，２２ｂ1同士を対向配置させ、かつ、第２引出口２１ｂ2，２２ｂ2同士を対向配置させる。
【００３４】
第１筐体部材２１と第２筐体部材２２のそれぞれの第２周壁体２１ｃ，２２ｃは、各々、第１電線ＷＥ１の他方の端部側を外方に引き出させる第３引出口２１ｃ1，２２ｃ1と、第２電線ＷＥ２の他方の端部側を外方に引き出させる第４引出口２１ｃ2，２２ｃ2と、を有する（図２及び図３）。それぞれの第２周壁体２１ｃ，２２ｃにおいては、第３引出口２１ｃ1，２２ｃ1同士を対向配置させ、かつ、第４引出口２１ｃ2，２２ｃ2同士を対向配置させる。
【００３５】
尚、この例示の筐体２０は、ノイズフィルタ１Ａの設置対象物に対して保持させる保持体２３を有している（図３）。その保持体２３は、設置対象物の相手方保持体（図示略）に係合させることによって、設置対象物に筐体２０を保持させる。ここでは、その保持体２３を第１筐体部材２１の主壁体２１ａの外壁面に設けている。
【００３６】
更に、このノイズフィルタ１Ａは、第１電線ＷＥ１の中間接続部ＷＥ１ａをフィルタ回路１０の第１回路接続部材１２に対して電気的に接続させる第１電気接続構造３０と、第２電線ＷＥ２の中間接続部ＷＥ２ａをフィルタ回路１０の第２回路接続部材１３に対して電気的に接続させる第２電気接続構造４０と、を備える（図１から図３）。筐体２０の収容室２０ａには、その第１電気接続構造３０と第２電気接続構造４０についても収容される。
【００３７】
第１電気接続構造３０は、第１電線ＷＥ１の軸線方向が第１回路接続部材１２の主体１２ａの平面に沿うように、その相互間の接続を行う。また、第２電気接続構造４０は、第２電線ＷＥ２の軸線方向が第２回路接続部材１３の主体１３ａの平面に沿うように、その相互間の接続を行う。そして、第１電気接続構造３０と第２電気接続構造４０は、第１電線ＷＥ１と第２電線ＷＥ２のそれぞれの軸線方向が同じ方向を向くように、第１電線ＷＥ１と第１回路接続部材１２との間の接続及び第２電線ＷＥ２と第２回路接続部材１３との間の接続を行う。
【００３８】
第１電気接続構造３０は、第１電線ＷＥ１の中間接続部ＷＥ１ａに対して物理的且つ電気的に接続される第１電線側接続体３１と、その第１電線側接続体３１と第１回路接続部材１２とに対して物理的且つ電気的に接続される第１回路側接続体３２と、を備える（図１及び図２）。
【００３９】
この例示の第１電線側接続体３１は、そのものが金属等の導電性材料で１つの部材（第１電線側接続部材）として成形されている。例えば、この第１電線側接続体３１は、矩形の金属板を第１電線ＷＥ１の中間接続部ＷＥ１ａに対して巻き付けながら加締めていくことによって、その中間接続部ＷＥ１ａに対して物理的且つ電気的に接続された筒状部材となる。この例示の第１電線側接続体３１は、円筒状に成形している（図１及び図２）。
【００４０】
第１回路側接続体３２は、第１電線ＷＥ１の中間接続部ＷＥ１ａに対して間接的に電気接続させるものとして形成する。この例示の第１回路側接続体３２は、第１電線ＷＥ１の中間接続部ＷＥ１ａに対して間接的に作用させた弾発力によって、その中間接続部ＷＥ１ａに対して間接的に電気接続させる。具体的に、この第１回路側接続体３２は、第１電線側接続体３１に対して直接的に弾発力を作用させ、その第１電線側接続体３１に作用させた弾発力によって第１電線ＷＥ１の中間接続部ＷＥ１ａに対して間接的に電気接続させる。この第１回路側接続体３２は、第１回路接続部材１２に設ける。この第１回路側接続体３２は、そのものが１つの部材として成形されたものであってもよく、或る部材が自らの一部として有するものであってもよい。
【００４１】
前者の第１回路側接続体３２は、第１回路接続部材１２とは別の部材として成形する。この第１回路側接続体３２は、第１回路接続部材１２に対して溶接等で物理的且つ電気的に接続させることによって、この第１回路接続部材１２に設ける。
【００４２】
また、後者の第１回路側接続体３２は、例えば、第１回路接続部材１２の主体１２ａと共に一体となって成形されたものであり、第１回路接続部材１２が有するものとして設ける。この例示の第１電気接続構造３０は、この後者の第１回路側接続体３２を備えている（図１から図３）。ここでは、第１回路接続部材１２の第１回路側接続体１２ｂを第１電気接続構造３０の第１回路側接続体３２として利用する。
【００４３】
この第１回路側接続体３２（１２ｂ）は、第１回路接続部材１２の主体１２ａから自由端側を浮き上がらせた片持ちの片体状で且つ弾性を持つ片部（以下、「弾性片部」という。）３２ａと、この弾性片部３２ａの自由端に設け、第１電線側接続体３１に対して直接的に電気接続させる接点部３２ｂと、を有する（図４から図６）。この第１回路側接続体３２は、弾性片部３２ａで弾発力を発生させると共に、その弾発力を接点部３２ｂから第１電線側接続体３１に対して直接的に作用させることによって、この第１電線側接続体３１に対して物理的且つ電気的に接続される。よって、この第１回路側接続体３２は、第１電線ＷＥ１の中間接続部ＷＥ１ａに対して第１電線側接続体３１を介して間接的に電気接続させることができる。
【００４４】
第２電気接続構造４０は、第２電線ＷＥ２の中間接続部ＷＥ２ａに対して物理的且つ電気的に接続される第２電線側接続体４１と、その第２電線側接続体４１と第２回路接続部材１３とに対して物理的且つ電気的に接続される第２回路側接続体４２と、を備える（図１から図３）。
【００４５】
この例示の第２電線側接続体４１は、第１電線側接続体３１と同じ円筒状の筒状部材であり、矩形の金属板を第２電線ＷＥ２の中間接続部ＷＥ２ａに対して巻き付けながら加締めていくことによって、その中間接続部ＷＥ２ａに対して物理的且つ電気的に接続させる（図１から図３）。
【００４６】
第２回路側接続体４２は、第２電線ＷＥ２の中間接続部ＷＥ２ａに対して間接的に電気接続させるものとして形成する。この例示の第２回路側接続体４２は、第２電線ＷＥ２の中間接続部ＷＥ２ａに対して間接的に作用させた弾発力によって、その中間接続部ＷＥ２ａに対して間接的に電気接続させる。具体的に、この第２回路側接続体４２は、第２電線側接続体４１に対して直接的に弾発力を作用させ、その第２電線側接続体４１に作用させた弾発力によって第２電線ＷＥ２の中間接続部ＷＥ２ａに対して間接的に電気接続させる。この第２回路側接続体４２は、第２回路接続部材１３に設ける。この第２回路側接続体４２は、第１回路側接続体３２と同じように、そのものが１つの部材として成形されたものであってもよく、或る部材が自らの一部として有するものであってもよい。この例示の第２回路側接続体４２は、第２回路接続部材１３の主体１３ａと共に一体となって成形されたものであり、第２回路接続部材１３が有するものとして設ける。ここでは、第２回路接続部材１３の第２回路側接続体１３ｂを第２電気接続構造４０の第２回路側接続体４２として利用する。
【００４７】
この第２回路側接続体４２（１３ｂ）は、第１回路側接続体３２（１２ｂ）と同等の形状に形成する。よって、この第２回路側接続体４２は、第２回路接続部材１３の主体１３ａから自由端側を浮き上がらせた片持ちの片体状で且つ弾性を持つ片部（以下、「弾性片部」という。）４２ａと、この弾性片部４２ａの自由端に設け、第２電線側接続体４１に対して直接的に電気接続させる接点部４２ｂと、を有する（図４から図６）。この第２回路側接続体４２は、弾性片部４２ａで弾発力を発生させると共に、その弾発力を接点部４２ｂから第２電線側接続体４１に対して直接的に作用させることによって、この第２電線側接続体４１に対して物理的且つ電気的に接続される。よって、この第２回路側接続体４２は、第２電線ＷＥ２の中間接続部ＷＥ２ａに対して第２電線側接続体４１を介して間接的に電気接続させることができる。
【００４８】
ここで、第１回路側接続体３２の弾発力は、第１筐体部材２１と第２筐体部材２２とを嵌め合わせた際に、第１回路接続部材１２と第１電線側接続体３１とを第１筐体部材２１の主壁体２１ａの内壁面２１ａ1側と第２筐体部材２２の主壁体２２ａの内壁面２２ａ1側とで挟持させることによって発生させる（図５）。よって、第１電気接続構造３０においては、第１電線側接続体３１と第１回路側接続体３２（第１回路接続部材１２の第１回路側接続体１２ｂ）とを第１筐体部材２１と第２筐体部材２２の嵌合方向で対向配置させる。
【００４９】
また、第２回路側接続体４２の弾発力は、第１筐体部材２１と第２筐体部材２２とを嵌め合わせた際に、第２回路接続部材１３と第２電線側接続体４１とを第１筐体部材２１の主壁体２１ａの内壁面２１ａ1側と第２筐体部材２２の主壁体２２ａの内壁面２２ａ1側とで挟持させることによって発生させる（図５）。よって、第２電気接続構造４０においては、第２電線側接続体４１と第２回路側接続体４２（第２回路接続部材１３の第２回路側接続体１３ｂ）とを第１筐体部材２１と第２筐体部材２２の嵌合方向で対向配置させる。
【００５０】
このノイズフィルタ１Ａにおいては、第１回路側接続体３２と第２回路側接続体４２とに弾発力を発生させるべく、第１筐体部材２１と第２筐体部材２２の嵌合方向にて、第１電線側接続体３１を第１回路側接続体３２の接点部３２ｂと第２筐体部材２２の主壁体２２ａの内壁面２２ａ1側とで挟持させ、かつ、第２電線側接続体４１を第２回路側接続体４２の接点部４２ｂと第２筐体部材２２の主壁体２２ａの内壁面２２ａ1側とで挟持させる（図５）。つまり、ここでは、第１筐体部材２１と第２筐体部材２２の嵌合方向が、第１電線側接続体３１や第２電線側接続体４１に対しての挟持方向（以下、「電線挟持方向」という。）になる。
【００５１】
第２筐体部材２２の主壁体２２ａの内壁面２２ａ1には、第１回路側接続体３２の接点部３２ｂとの間で第１電線ＷＥ１の中間接続部ＷＥ１ａを間接的に挟持する第１挟持体２４と、第２回路側接続体４２の接点部４２ｂとの間で第２電線ＷＥ２の中間接続部ＷＥ２ａを間接的に挟持する第２挟持体２５と、を少なくとも１つずつ設けている（図３、図５及び図６）。
【００５２】
第１挟持体２４は、第１回路側接続体３２の接点部３２ｂとの間で第１電線側接続体３１を挟持することによって、その接点部３２ｂとの間で第１電線ＷＥ１の中間接続部ＷＥ１ａを間接的に挟持する。この第１挟持体２４は、第２筐体部材２２の主壁体２２ａの内壁面２２ａ1から自由端側を浮き上がらせた片持ちの片体状の片部２４ａと、この片部２４ａの自由端に設け、第１電線側接続体３１に接触させて加圧する加圧部２４ｂと、を有する（図３、図５及び図６）。その片部２４ａは、弾性を有するものであってもよく、弾性を有しないものであってもよい。また、加圧部２４ｂは、電線挟持方向で接点部３２ｂに対向配置させる。ここでは、加圧部２４ｂと接点部３２ｂとを各々矩形の片体状に形成し、それぞれの平面の間で第１電線側接続体３１を挟持させる。
【００５３】
第２挟持体２５は、第２回路側接続体４２の接点部４２ｂとの間で第２電線側接続体４１を挟持することによって、その接点部４２ｂとの間で第２電線ＷＥ２の中間接続部ＷＥ２ａを間接的に挟持する。この第２挟持体２５は、第２筐体部材２２の主壁体２２ａの内壁面２２ａ1から自由端側を浮き上がらせた片持ちの片体状の片部２５ａと、この片部２５ａの自由端に設け、第２電線側接続体４１に接触させて加圧する加圧部２５ｂと、を有する（図３、図５及び図６）。その片部２５ａは、弾性を有するものであってもよく、弾性を有しないものであってもよい。また、加圧部２５ｂは、電線挟持方向で接点部４２ｂに対向配置させる。ここでは、加圧部２５ｂと接点部４２ｂとを各々矩形の片体状に形成し、それぞれの平面の間で第２電線側接続体４１を挟持させる。
【００５４】
このノイズフィルタ１Ａにおいて、第１筐体部材２１の内方の空間には、第１電線側接続体３１が接点部３２ｂに載せ置かれた状態で第１電線ＷＥ１を配置すると共に、第２電線側接続体４１が接点部４２ｂに載せ置かれた状態で第２電線ＷＥ２を配置する（図６）。このノイズフィルタ１Ａにおいては、その第１筐体部材２１に対して第２筐体部材２２を嵌め合わせていく（図６）。
【００５５】
第１筐体部材２１と第２筐体部材２２とを嵌め合わせた際には、第１電線側接続体３１に対して加圧部２４ｂから接点部３２ｂに向けた押圧力が作用し、この第１電線側接続体３１が接点部３２ｂを押し動かすので、その押動力に抗する弾性片部３２ａの弾発力が接点部３２ｂから第１電線側接続体３１に作用する。また、第１筐体部材２１と第２筐体部材２２とを嵌め合わせた際には、第２電線側接続体４１に対して加圧部２５ｂから接点部４２ｂに向けた押圧力が作用し、この第２電線側接続体４１が接点部４２ｂを押し動かすので、その押動力に抗する弾性片部４２ａの弾発力が接点部４２ｂから第２電線側接続体４１に作用する。よって、このノイズフィルタ１Ａにおいては、第１筐体部材２１と第２筐体部材２２とを嵌め合わせた際に、第１電線側接続体３１が加圧部２４ｂと接点部３２ｂとで挟持されて、その第１電線側接続体３１と接点部３２ｂとが物理的且つ電気的に接続され、かつ、第２電線側接続体４１が加圧部２５ｂと接点部４２ｂとで挟持されて、その第２電線側接続体４１と接点部４２ｂとが物理的且つ電気的に接続される。従って、このノイズフィルタ１Ａにおいては、第１電線ＷＥ１の中間接続部ＷＥ１ａとフィルタ回路１０の第１回路接続部材１２とが第１電線側接続体３１を介して間接的に電気接続され、かつ、第２電線ＷＥ２の中間接続部ＷＥ２ａとフィルタ回路１０の第２回路接続部材１３とが第２電線側接続体４１を介して間接的に電気接続される。
【００５６】
ところで、従来のノイズフィルタは、前述した特許文献のように、ノイズ低減対象電線とフィルタ回路との間に中間電線を介在させている。その中間電線は、ノイズフィルタへの組付け作業性や車両への配索経路等を考慮して、長さに関する許容公差が大きく取られている。このため、従来のノイズフィルタは、その長さに応じた中間電線のノイズ成分をも考慮に入れて、フィルタ回路特性（共振点やノイズ低減性能等）の調整を行う必要がある。しかしながら、このノイズフィルタ１Ａにおいては、ワイヤハーネスＷＨの幹線ＷＴに束ねられている第１電線ＷＥ１の中間接続部ＷＥ１ａと第２電線ＷＥ２の中間接続部ＷＥ２ａとの間にフィルタ回路１０を介在させ、そのフィルタ回路１０をそれぞれの中間接続部ＷＥ１ａ，ＷＥ２ａに対して電気的に接続している。よって、このノイズフィルタ１Ａは、従来のような幹線からの分岐電線（中間電線）の影響を考慮に入れたフィルタ回路特性の調整が不要になる。つまり、このノイズフィルタ１Ａは、中間電線の影響を受けることのないものとなっている。
【００５７】
図７には、周波数を横軸とし、ノイズ低減レベルを縦軸としたフィルタ回路特性の概念図を示している。本図では、破線でノイズ低減の要求性能を表し、実線で本実施形態のノイズフィルタ１Ａのフィルタ回路特性を表し、二点鎖線で従来のノイズフィルタのフィルタ回路特性を表している。
【００５８】
尚、ノイズフィルタ１Ａは、例えば、幹線ＷＴと一緒に粘着テープ等で巻き付けて、この幹線ＷＴに抱きかかえさせればよい。
【００５９】
更に、このノイズフィルタ１Ａは、一方の端部を接地させる第２電線ＷＥ２の中間接続部ＷＥ２ａに対してフィルタ回路１０を電気的に接続させるので、例えば、幹線ＷＴの周囲に接地可能な導電体が存在しておらずとも、また、自らの設置対象物が合成樹脂等の絶縁性材料で成形されていたとしても、容易にアースを取ることができる。つまり、従来のノイズフィルタは、導電性の設置対象物に取り付けた際に当該設置対象物にアース端子を接続することによって、その設置対象物を介してアースを取っている。よって、従来のノイズフィルタにおいては、アース端子と設置対象物との固定作業を容易にするために、アース端子を筐体から食み出させている。しかしながら、このノイズフィルタ１Ａは、そのようなアース端子を備えずとも、アースを取ることができる。従って、このノイズフィルタ１Ａは、体格の小型化や軽量化を図ることができる。
【００６０】
また更に、このノイズフィルタ１Ａは、第１電線ＷＥ１の中間接続部ＷＥ１ａと第１回路側接続体３２との間の電気的な接続構造及び第２電線ＷＥ２の中間接続部ＷＥ２ａと第２回路側接続体４２との間の電気的な接続構造が、第１回路側接続体３２と第２回路側接続体４２のそれぞれの弾発力を利用するものとなっている。よって、このノイズフィルタ１Ａは、その接続構造が従来のような雌雄の端子部の嵌合構造となっているものと比較して、それぞれの接続構造の小型化が可能になる。従って、このノイズフィルタ１Ａは、体格の小型化を図ることができる。また、そのような従来の接続構造は形状如何で原価の高騰を招く虞があるが、このノイズフィルタ１Ａは、弾発力を利用する接続構造であるが故に、その構造の簡素化を図ることができ、原価の高騰を抑えることができる。
【００６１】
また更に、このノイズフィルタ１Ａは、そのような弾発力による接続構造を採用することによって、それぞれの構成部品の寸法ばらつきを吸収し、それぞれの中間接続部ＷＥ１ａ，ＷＥ２ａに安定した接触荷重を作用させることができる。また、このノイズフィルタ１Ａは、第１挟持体２４の片部２４ａと第２挟持体２５の片部２５ａとに弾性を持たせることによって、第１回路側接続体３２と第２回路側接続体４２の弾性と相俟って、それぞれの構成部品の寸法ばらつきがより大きくなったとしても、その寸法ばらつきを吸収し、それぞれの中間接続部ＷＥ２ａに安定した接触荷重を作用させることができる。このような特性によって、このノイズフィルタ１Ａは、第１電線ＷＥ１及び第２電線ＷＥ２とフィルタ回路１０との間の通電品質の向上を図ることができる。
【００６２】
また更に、このノイズフィルタ１Ａは、弾発力による接続構造を採用することによって、第１回路側接続体３２と第２回路側接続体４２の弾性域の範囲内で、様々な外径の電線（第１電線ＷＥ１、第２電線ＷＥ２）に対して電気的な接続を図ることができる。また、このノイズフィルタ１Ａは、第１挟持体２４の片部２４ａと第２挟持体２５の片部２５ａとに弾性を持たせた場合、これらも含めた弾性域の範囲内で、様々な外径の電線（第１電線ＷＥ１、第２電線ＷＥ２）に対して電気的な接続を図ることができる。つまり、このノイズフィルタ１Ａは、様々な外径の電線（第１電線ＷＥ１、第２電線ＷＥ２）への対応が可能になり、汎用性を高めることができる。
【００６３】
［ノイズフィルタ１Ｂ］
ここで、本実施形態のノイズフィルタ１は、先の第１挟持体２４と第２挟持体２５とを有する第２筐体部材２２に替えて、次のような第１挟持体１２４と第２挟持体１２５とを第２筐体部材１２２に設けたノイズフィルタ１Ｂとして構成してもよい（図８及び図９）。このノイズフィルタ１Ｂは、先のノイズフィルタ１Ａと同様の効果が得られると共に、その第１挟持体１２４と第２挟持体１２５とによって、後述する効果を得ることができる。
【００６４】
第２筐体部材１２２は、先に示した第２筐体部材２２において、第１挟持体２４を第１挟持体１２４に置き換え、かつ、第２挟持体２５を第２挟持体１２５に置き換えたものである。この第２筐体部材１２２は、先に示した第１筐体部材２１に嵌合させることによって、内方に収容室１２０ａが形成された筐体１２０を構成する（図９）。この第２筐体部材１２２の主壁体１２２ａの内壁面１２２ａ1には、第１挟持体１２４と第２挟持体１２５とを２つずつ設ける（図８及び図９）。
【００６５】
第１挟持体１２４は、先に示した第１挟持体２４と同様の片部１２４ａ及び加圧部１２４ｂの他に、その加圧部１２４ｂから膨出させた係止突起部１２４ｃを有する（図８から図１０）。また、第２挟持体１２５は、先に示した第２挟持体２５と同様の片部１２５ａ及び加圧部１２５ｂの他に、その加圧部１２５ｂから膨出させた係止突起部１２５ｃを有する（図８から図１０）。
【００６６】
このノイズフィルタ１Ｂにおいては、２つの第１挟持体１２４のそれぞれの加圧部１２４ｂと接点部３２ｂとで第１電線側接続体３１を挟持させ、かつ、２つの第２挟持体１２５のそれぞれの加圧部１２５ｂと接点部４２ｂとで第２電線側接続体４１を挟持させる（図８及び図９）。その際、接点部３２ｂは、一方の第１挟持体１２４の加圧部１２４ｂに対してのみ電線挟持方向で対向配置させてもよく、双方の第１挟持体１２４のそれぞれの加圧部１２４ｂに対して電線挟持方向で対向配置させてもよい。これと同様に、接点部４２ｂは、一方の第２挟持体１２５の加圧部１２５ｂに対してのみ電線挟持方向で対向配置させてもよく、双方の第２挟持体１２５のそれぞれの加圧部１２５ｂに対して電線挟持方向で対向配置させてもよい。
【００６７】
また、一方の第１挟持体１２４の係止突起部１２４ｃは、第１電線側接続体３１における筒軸方向の一端を当該筒軸方向で係止するものとして形成する（図９）。そして、他方の第１挟持体１２４の係止突起部１２４ｃは、第１電線側接続体３１における筒軸方向の他端を当該筒軸方向で係止するものとして形成する（図９）。つまり、このノイズフィルタ１Ｂにおいては、その２つの係止突起部１２４ｃを用いて、筒軸方向の両端から第１電線側接続体３１を挟持させる。更に、一方の第２挟持体１２５の係止突起部１２５ｃは、第２電線側接続体４１における筒軸方向の一端を当該筒軸方向で係止するものとして形成する（図９）。そして、他方の第２挟持体１２５の係止突起部１２５ｃは、第２電線側接続体４１における筒軸方向の他端を当該筒軸方向で係止するものとして形成する（図９）。つまり、このノイズフィルタ１Ｂにおいては、その２つの係止突起部１２５ｃを用いて、筒軸方向の両端から第２電線側接続体４１を挟持させる。これにより、このノイズフィルタ１Ｂにおいては、その２つの係止突起部１２４ｃと２つの係止突起部１２５ｃとによって、筐体１２０の収容室１２０ａの中での第１電線側接続体３１及び第１電線ＷＥ１並びに第２電線側接続体４１及び第２電線ＷＥ２の位置決めを行うことができる。従って、このノイズフィルタ１Ｂは、第１電線ＷＥ１及び第２電線ＷＥ２とフィルタ回路１０との間の通電品質を更に向上させることができる。
【００６８】
［ノイズフィルタ１Ｃ］
また、本実施形態のノイズフィルタ１は、先の第１挟持体２４と第２挟持体２５とを有する第２筐体部材２２に替えて、次のような第１挟持体２２４と第２挟持体２２５とを第２筐体部材２２２に設けたノイズフィルタ１Ｃとして構成してもよい（図１１及び図１２）。このノイズフィルタ１Ｃは、先のノイズフィルタ１Ａと同様の効果が得られると共に、その第１挟持体２２４と第２挟持体２２５とによって、後述する効果を得ることができる。
【００６９】
第２筐体部材２２２は、先に示した第２筐体部材２２において、第１挟持体２４を第１挟持体２２４に置き換え、かつ、第２挟持体２５を第２挟持体２２５に置き換えたものである。この第２筐体部材２２２は、先に示した第１筐体部材２１に嵌合させることによって、内方に収容室２２０ａが形成された筐体２２０を構成する（図１２）。この第２筐体部材２２２の主壁体２２２ａの内壁面２２２ａ1には、第１挟持体２２４と第２挟持体２２５とを２つずつ設ける（図１１及び図１２）。
【００７０】
第１挟持体２２４は、主壁体２２２ａの内壁面２２２ａ1から膨出させ、第１電線側接続体３１に接触させて加圧する加圧部２２４ｂと、その内壁面２２２ａ1から膨出させた係止突起部２２４ｃと、を有する（図１１及び図１２）。また、第２挟持体２２５は、主壁体２２２ａの内壁面２２２ａ1から膨出させ、第２電線側接続体４１に接触させて加圧する加圧部２２５ｂと、その内壁面２２２ａ1から膨出させた係止突起部２２５ｃと、を有する（図１１及び図１２）。
【００７１】
このノイズフィルタ１Ｃにおいては、２つの第１挟持体２２４のそれぞれの加圧部２２４ｂと接点部３２ｂとで第１電線側接続体３１を挟持させ、かつ、２つの第２挟持体２２５のそれぞれの加圧部２２５ｂと接点部４２ｂとで第２電線側接続体４１を挟持させる。その際、接点部３２ｂは、一方の第１挟持体２２４の加圧部２２４ｂに対してのみ電線挟持方向で対向配置させてもよく、双方の第１挟持体２２４のそれぞれの加圧部２２４ｂに対して電線挟持方向で対向配置させてもよい。これと同様に、接点部４２ｂは、一方の第２挟持体２２５の加圧部２２５ｂに対してのみ電線挟持方向で対向配置させてもよく、双方の第２挟持体２２５のそれぞれの加圧部２２５ｂに対して電線挟持方向で対向配置させてもよい。
【００７２】
また、一方の第１挟持体２２４の係止突起部２２４ｃは、第１電線側接続体３１における筒軸方向の一端を当該筒軸方向で係止するものとして形成する（図１２）。そして、他方の第１挟持体２２４の係止突起部２２４ｃは、第１電線側接続体３１における筒軸方向の他端を当該筒軸方向で係止するものとして形成する（図１２）。つまり、このノイズフィルタ１Ｃにおいては、その２つの係止突起部２２４ｃを用いて、筒軸方向の両端から第１電線側接続体３１を挟持させる。更に、一方の第２挟持体２２５の係止突起部２２５ｃは、第２電線側接続体４１における筒軸方向の一端を当該筒軸方向で係止するものとして形成する（図１２）。そして、他方の第２挟持体２２５の係止突起部２２５ｃは、第２電線側接続体４１における筒軸方向の他端を当該筒軸方向で係止するものとして形成する（図１２）。つまり、このノイズフィルタ１Ｃにおいては、その２つの係止突起部２２５ｃを用いて、筒軸方向の両端から第２電線側接続体４１を挟持させる。これにより、このノイズフィルタ１Ｃにおいては、その２つの係止突起部２２４ｃと２つの係止突起部２２５ｃとによって、筐体２２０の収容室２２０ａの中での第１電線側接続体３１及び第１電線ＷＥ１並びに第２電線側接続体４１及び第２電線ＷＥ２の位置決めを行うことができる。従って、このノイズフィルタ１Ｃは、第１電線ＷＥ１及び第２電線ＷＥ２とフィルタ回路１０との間の通電品質を更に向上させることができる。
【００７３】
［ノイズフィルタ１Ｄ］
本実施形態のノイズフィルタ１は、先の第１回路側接続体３２（１２ｂ）を有する第１電気接続構造３０と第２回路側接続体４２（１３ｂ）を有する第２電気接続構造４０とに替えて、次のような第１回路側接続体３３２を有する第１電気接続構造３３０と第２回路側接続体３４２を有する第２電気接続構造３４０とを設けたノイズフィルタ１Ｄとして構成してもよい（図１３及び図１４）。このノイズフィルタ１Ｄは、先のノイズフィルタ１Ａと同様の効果が得られると共に、その第１回路側接続体３３２と第２回路側接続体３４２とによって、後述する効果を得ることができる。
【００７４】
第１回路側接続体３３２は、先の例示と同じように、主体３１２ａと第１回路側接続体３１２ｂとを有する第１回路接続部材３１２に設けており、その第１回路側接続体３１２ｂを利用する（図１３及び図１４）。この第１回路側接続体３３２は、先の第１回路側接続体３２（１２ｂ）と同様の弾性片部３３２ａを有すると共に、この弾性片部３３２ａの自由端に設け、第１電線側接続体３１に対して直接的に電気接続させる接点部３３２ｂを有する（図１３から図１５）。この例示の接点部３３２ｂは、第１電線側接続体３１の外周面に接触させる先の接点部３２ｂと同様の矩形の片部３３２ｂ1と、この片部３３２ｂ1から突出させ、第１電線側接続体３１における筒軸方向の両端を当該筒軸方向で挟み込む２つの係止突起部３３２ｂ2と、を有する（図１３から図１５）。この例示の係止突起部３３２ｂ2には、第１電線ＷＥ１の中間接続部ＷＥ１ａが挿入される弧状の切欠き３３２ｂ21を設けている（図１５）。この第１回路側接続体３３２は、先の第１電線側接続体３１と対になって第１電気接続構造３３０を構成する。
【００７５】
第２回路側接続体３４２は、先の例示と同じように、主体３１３ａと第２回路側接続体３１３ｂとを有する第２回路接続部材３１３に設けており、その第２回路側接続体３１３ｂを利用する（図１３及び図１４）。この第２回路側接続体３４２は、先の第２回路側接続体４２（１３ｂ）と同様の弾性片部３４２ａを有すると共に、この弾性片部３４２ａの自由端に設け、第２電線側接続体４１に対して直接的に電気接続させる接点部３４２ｂを有する（図１３から図１５）。この例示の接点部３４２ｂは、第２電線側接続体４１の外周面に接触させる先の接点部４２ｂと同様の矩形の片部３４２ｂ1と、この片部３４２ｂ1から突出させ、第２電線側接続体４１における筒軸方向の両端を当該筒軸方向で挟み込む２つの係止突起部３４２ｂ2と、を有する（図１３から図１５）。この例示の係止突起部３４２ｂ2には、第２電線ＷＥ２の中間接続部ＷＥ２ａが挿入される弧状の切欠き３４２ｂ21を設けている（図１５）。この第２回路側接続体３４２は、先の第２電線側接続体４１と対になって第２電気接続構造３４０を構成する。
【００７６】
このノイズフィルタ１Ｄは、２つの係止突起部３３２ｂ2と２つの係止突起部３４２ｂ2とによって、筐体２０の収容室２０ａの中での第１電線側接続体３１及び第１電線ＷＥ１並びに第２電線側接続体４１及び第２電線ＷＥ２の位置決めを行うことができる。従って、このノイズフィルタ１Ｄは、第１電線ＷＥ１及び第２電線ＷＥ２とフィルタ回路１０との間の通電品質を更に向上させることができる。
【００７７】
［ノイズフィルタ１Ｅ］
本実施形態のノイズフィルタ１は、先の第１電気接続構造３０と第２電気接続構造４０とに替えて、次のような第１電気接続構造４３０と第２電気接続構造４４０とを設けたノイズフィルタ１Ｅとして構成してもよい（図１６）。このノイズフィルタ１Ｅは、先のノイズフィルタ１Ａと同様の効果が得られると共に、その第１電気接続構造４３０と第２電気接続構造４４０とによって、後述する効果を得ることができる。
【００７８】
第１電気接続構造４３０は、先の第１電線側接続体３１を持たずに、先の第１回路側接続体３２を備えたものである。この第１電気接続構造４３０は、第２筐体部材２２の第１挟持体２４と相俟って、その加圧部２４ｂと第１回路側接続体３２の接点部３２ｂとで第１電線ＷＥ１の中間接続部ＷＥ１ａを挟持させる。
【００７９】
つまり、この例示の第１回路側接続体３２は、第１電線ＷＥ１の中間接続部ＷＥ１ａに対して直接的に電気接続させるものとして形成する。この第１回路側接続体３２は、第１電線ＷＥ１の中間接続部ＷＥ１ａに対して直接的に作用させた弾発力によって、その中間接続部ＷＥ１ａに対して直接的に電気接続させる。また、この例示の第１挟持体２４は、第１回路側接続体３２の接点部３２ｂとの間で第１電線ＷＥ１の中間接続部ＷＥ１ａを直接的に挟持するものとして形成する。
【００８０】
また、第２電気接続構造４４０は、先の第２電線側接続体４１を持たずに、先の第２回路側接続体４２を備えたものである。この第２電気接続構造４４０は、第２筐体部材２２の第２挟持体２５と相俟って、その加圧部２５ｂと第２回路側接続体４２の接点部４２ｂとで第２電線ＷＥ２の中間接続部ＷＥ２ａを挟持させる。
【００８１】
つまり、この例示の第２回路側接続体４２は、第２電線ＷＥ２の中間接続部ＷＥ２ａに対して直接的に電気接続させるものとして形成する。この第２回路側接続体４２は、第２電線ＷＥ２の中間接続部ＷＥ２ａに対して直接的に作用させた弾発力によって、その中間接続部ＷＥ２ａに対して直接的に電気接続させる。また、この例示の第２挟持体２５は、第２回路側接続体４２の接点部４２ｂとの間で第２電線ＷＥ２の中間接続部ＷＥ２ａを直接的に挟持するものとして形成する。
【００８２】
ここで、このノイズフィルタ１Ｅは、丸導体等の単線を芯線ＷＥａとする第１電線ＷＥ１と第２電線ＷＥ２を適用する場合に用いることが望ましい。何故ならば、それぞれの中間接続部ＷＥ１ａ，ＷＥ２ａにおいては、芯線ＷＥａが複数本の素線を束ねた集合体である場合、加圧部２４ｂ，２５ｂと接点部３２ｂ，４２ｂとで挟持するときに各素線がばらけてしまう可能性があるので、加圧部２４ｂ、２５ｂからの押動力と接点部３２ｂ，４２ｂからの弾発力を受け止めることができなくなる可能性がある。つまり、芯線ＷＥａが複数本の素線の集合体の場合には、それぞれの中間接続部ＷＥ１ａ，ＷＥ２ａに適切な接触荷重を作用させることができず、それぞれの中間接続部ＷＥ１ａ，ＷＥ２ａとフィルタ回路１０との間での通電が上手く為されない可能性があるからである。但し、第１電線ＷＥ１と第２電線ＷＥ２は、芯線ＷＥａが複数本の素線の集合体であったとしても、中間接続部ＷＥ１ａ，ＷＥ２ａにおける複数本の素線を熱圧着等で溶着して一纏めに固着させることによって（図１６）、先の第１電線側接続体３１や第２電線側接続体４１を備えずとも、このノイズフィルタ１Ｅに適用することができる。
【００８３】
このように、このノイズフィルタ１Ｅは、第１電気接続構造４３０と第２電気接続構造４４０とにおいて部品点数が削減されるので、軽量化や組付け作業性の向上、原価の低減を図ることができる。
【００８４】
［ノイズフィルタ１Ｆ］
本実施形態のノイズフィルタ１は、先の第１挟持体２４及び第２挟持体２５を有する第２筐体部材２２、第１電気接続構造３０並びに第２電気接続構造４０に替えて、次のような第１挟持体５２４及び第２挟持体５２５を有する第２筐体部材５２２、第１電気接続構造５３０並びに第２電気接続構造５４０を設けたノイズフィルタ１Ｆとして構成してもよい（図１７及び図１８）。このノイズフィルタ１Ｆは、先のノイズフィルタ１Ａと同様の効果が得られると共に、その第１挟持体５２４及び第２挟持体５２５並びに第１電気接続構造４３０及び第２電気接続構造４４０によって、後述する効果を得ることができる。
【００８５】
第２筐体部材５２２は、先に示した第２筐体部材２２において、第１挟持体２４を第１挟持体５２４に置き換え、かつ、第２挟持体２５を第２挟持体５２５に置き換えたものである。この第２筐体部材５２２は、先に示した第１筐体部材２１に嵌合させることによって、内方に収容室５２０ａが形成された筐体５２０を構成する（図１８）。この第２筐体部材５２２の主壁体５２２ａの内壁面５２２ａ1には、第１挟持体５２４と第２挟持体５２５とを少なくとも１つずつ設ける（図１７及び図１８）。ここでは、第１挟持体５２４と第２挟持体５２５とを１つずつ設けている。
【００８６】
第１挟持体５２４は、先に示した第１挟持体２４と同様の片部５２４ａを有すると共に、この片部５２４ａの自由端に設け、第１電線ＷＥ１の中間接続部ＷＥ１ａに接触させて加圧する加圧部５２４ｂを有する（図１７及び図１８）。その加圧部５２４ｂは、Ｕ字状に形成する。この加圧部５２４ｂは、第１電線ＷＥ１の中間接続部ＷＥ１ａ側に口を開けており、その開口から中間接続部ＷＥ１ａを内方に挿入させる。また、第２挟持体５２５は、先に示した第２挟持体２５と同様の片部５２５ａを有すると共に、この片部５２５ａの自由端に設け、第２電線ＷＥ２の中間接続部ＷＥ２ａに接触させて加圧する加圧部５２５ｂを有する（図１７及び図１８）。その加圧部５２５ｂは、Ｕ字状に形成する（図１９）。この加圧部５２５ｂは、第２電線ＷＥ２の中間接続部ＷＥ２ａ側に口を開けており、その開口から中間接続部ＷＥ２ａを内方に挿入させる。
【００８７】
第１電気接続構造５３０は、先の第１電線側接続体３１を持たずに、第１回路側接続体５３２を備えたものである（図１７及び図１８）。その第１回路側接続体５３２は、先の例示と同じように、主体５１２ａと第１回路側接続体５１２ｂとを有する第１回路接続部材５１２に設けており、その第１回路側接続体５１２ｂを利用する（図１７及び図１８）。この第１回路側接続体５３２は、先の第１回路側接続体３２（１２ｂ）と同様の弾性片部５３２ａを有すると共に、この弾性片部５３２ａの自由端に設け、第１電線ＷＥ１の中間接続部ＷＥ１ａに対して直接的に電気接続させる接点部５３２ｂを有する（図１７及び図１８）。この例示の接点部５３２ｂは、Ｕ字状に形成する（図１９）。この接点部５３２ｂは、第１電線ＷＥ１の中間接続部ＷＥ１ａ側に口を開けており、その開口から中間接続部ＷＥ１ａを内方に挿入させる。
【００８８】
また、第２電気接続構造５４０は、先の第２電線側接続体４１を持たずに、第２回路側接続体５４２を備えたものである（図１７及び図１８）。その第２回路側接続体５４２は、先の例示と同じように、主体５１３ａと第２回路側接続体５１３ｂとを有する第２回路接続部材５１３に設けており、その第２回路側接続体５１３ｂを利用する（図１７及び図１８）。この第２回路側接続体５４２は、先の第２回路側接続体４２（１３ｂ）と同様の弾性片部５４２ａを有すると共に、この弾性片部５４２ａの自由端に設け、第２電線ＷＥ２の中間接続部ＷＥ２ａに対して直接的に電気接続させる接点部５４２ｂを有する（図１７及び図１８）。この例示の接点部５４２ｂは、Ｕ字状に形成する（図１９）。この接点部５４２ｂは、第２電線ＷＥ２の中間接続部ＷＥ２ａ側に口を開けており、その開口から中間接続部ＷＥ２ａを内方に挿入させる。
【００８９】
つまり、この例示の第１回路側接続体５３２は、第１電線ＷＥ１の中間接続部ＷＥ１ａに対して直接的に電気接続させるものとして形成されている。この第１回路側接続体５３２は、第１電線ＷＥ１の中間接続部ＷＥ１ａに対して直接的に作用させた弾発力によって、その中間接続部ＷＥ１ａに対して直接的に電気接続させる。また、この例示の第１挟持体５２４は、第１回路側接続体５３２の接点部５３２ｂとの間で第１電線ＷＥ１の中間接続部ＷＥ１ａを直接的に挟持するものとして形成されている。また、この例示の第２回路側接続体４２は、第２電線ＷＥ２の中間接続部ＷＥ２ａに対して直接的に電気接続させるものとして形成されている。この第２回路側接続体４２は、第２電線ＷＥ２の中間接続部ＷＥ２ａに対して直接的に作用させた弾発力によって、その中間接続部ＷＥ２ａに対して直接的に電気接続させる。また、この例示の第２挟持体２５は、第２回路側接続体４２の接点部４２ｂとの間で第２電線ＷＥ２の中間接続部ＷＥ２ａを直接的に挟持するものとして形成されている。
【００９０】
加圧部５２４ｂと接点部５３２ｂは、第１筐体部材２１と第２筐体部材２２とを嵌め合わせた際に、それぞれのＵ字の内方に第１電線ＷＥ１の中間接続部ＷＥ１ａを各々の開口から挿入させ（図２０）、かつ、その中間接続部ＷＥ１ａの軸線方向で互いに対向配置させる（図１８）。加圧部５２４ｂと接点部５３２ｂは、その軸線方向にて近接配置する。これにより、この加圧部５２４ｂと接点部５３２ｂは、それぞれのＵ字の底部によって、その中間接続部ＷＥ１ａを電線挟持方向で挟み込み、この中間接続部ＷＥ１ａに対して安定した接触荷重を作用させることができる。また、この加圧部５２４ｂと接点部５３２ｂは、それぞれのＵ字の内方で第１電線ＷＥ１の中間接続部ＷＥ１ａを囲うことができる（図２０）。よって、このノイズフィルタ１Ｆにおいては、芯線ＷＥａが単線の第１電線ＷＥ１であっても適用することができ、また、素線のばらけを抑制できるので、芯線ＷＥａが複数本の素線の集合体となっている第１電線ＷＥ１であっても適用することができる。また、その第１電線ＷＥ１は、先に示した中間接続部ＷＥ１ａにおける複数本の素線を熱圧着等で溶着して固めたものであってもよい。
【００９１】
また、加圧部５２５ｂと接点部５４２ｂは、第１筐体部材２１と第２筐体部材２２とを嵌め合わせた際に、それぞれのＵ字の内方に第２電線ＷＥ２の中間接続部ＷＥ２ａを各々の開口から挿入させ（図２０）、かつ、その中間接続部ＷＥ２ａの軸線方向で互いに対向配置させる（図１８）。加圧部５２５ｂと接点部５４２ｂは、その軸線方向にて近接配置する。これにより、この加圧部５２５ｂと接点部５４２ｂは、それぞれのＵ字の底部によって、その中間接続部ＷＥ２ａを電線挟持方向で挟み込み、この中間接続部ＷＥ２ａに対して安定した接触荷重を作用させることができる。また、この加圧部５２５ｂと接点部５４２ｂは、それぞれのＵ字の内方で第２電線ＷＥ２の中間接続部ＷＥ２ａを囲うことができる（図２０）。よって、このノイズフィルタ１Ｆにおいては、芯線ＷＥａが単線の第２電線ＷＥ２であっても適用することができ、また、素線のばらけを抑制できるので、芯線ＷＥａが複数本の素線の集合体となっている第２電線ＷＥ２であっても適用することができる。また、その第２電線ＷＥ２は、先に示した中間接続部ＷＥ２ａにおける複数本の素線を熱圧着等で溶着して固めたものであってもよい。
【００９２】
このように、このノイズフィルタ１Ｆは、第１電気接続構造５３０と第２電気接続構造５４０とにおいて部品点数が削減されるので、軽量化や組付け作業性の向上、原価の低減を図ることができる。
【００９３】
［ノイズフィルタ１Ａの変形形態］
ところで、先に示したノイズフィルタ１Ａにおいては、図示しないが、互いに間隔を空けて対向配置された圧接刃を有するものとして、それぞれの接点部３２ｂ，４２ｂを形成してもよい。接点部３２ｂの圧接刃は、間に差し込んだ第１電線ＷＥ１の被覆ＷＥｂに切込みを入れて、第１電線ＷＥ１の芯線ＷＥａに食い込ませる。よって、この接点部３２ｂは、それぞれの圧接刃によって、第１電線ＷＥ１を電気接続状態で圧接固定することができる。また、接点部４２ｂの圧接刃は、間に差し込んだ第２電線ＷＥ２の被覆ＷＥｂに切込みを入れて、第２電線ＷＥ２の芯線ＷＥａに食い込ませる。よって、この接点部４２ｂは、それぞれの圧接刃によって、第２電線ＷＥ２を電気接続状態で圧接固定することができる。
【００９４】
以上示したように、本実施形態のノイズフィルタ１（１Ａ，１Ｂ，１Ｃ，１Ｄ，１Ｅ，１Ｆ）は、ワイヤハーネスＷＨの幹線ＷＴに束ねられている第１電線ＷＥ１の中間接続部ＷＥ１ａと第２電線ＷＥ２の中間接続部ＷＥ２ａとの間にフィルタ回路１０を介在させ、そのフィルタ回路１０をそれぞれの中間接続部ＷＥ１ａ，ＷＥ２ａに対して電気的に接続させる。よって、本実施形態のノイズフィルタ１（１Ａ，１Ｂ，１Ｃ，１Ｄ，１Ｅ，１Ｆ）は、従来のような中間電線のノイズ成分をも考慮に入れたフィルタ回路特性の調整が不要な簡便なものとなっている。更に、本実施形態のノイズフィルタ１（１Ａ，１Ｂ，１Ｃ，１Ｄ，１Ｅ，１Ｆ）は、アース端子が不要なので、体格の小型化や軽量化を図ることができる。また更に、本実施形態のノイズフィルタ１（１Ａ，１Ｂ，１Ｃ，１Ｄ，１Ｅ，１Ｆ）は、第１電線ＷＥ１及び第２電線ＷＥ２とフィルタ回路１０との間の電気的な接続に弾性を利用しているので、体格の小型化や原価高騰の抑制を図ることができ、かつ、様々な外径の電線（第１電線ＷＥ１、第２電線ＷＥ２）への対応が可能な汎用性の高いものとなる。また更に、本実施形態のノイズフィルタ１（１Ａ，１Ｂ，１Ｃ，１Ｄ，１Ｅ，１Ｆ）は、そのような弾性を利用した接続構造によって、それぞれの構成部品の寸法ばらつきを吸収し、第１電線ＷＥ１の中間接続部ＷＥ１ａと第２電線ＷＥ２の中間接続部ＷＥ２ａとに安定した接触荷重を作用させて、通電品質の向上を図ることができる。また、本実施形態のワイヤハーネスＷＨは、そのようなノイズフィルタ１（１Ａ，１Ｂ，１Ｃ，１Ｄ，１Ｅ，１Ｆ）を具備するものであり、このノイズフィルタ１（１Ａ，１Ｂ，１Ｃ，１Ｄ，１Ｅ，１Ｆ）が得られる効果を奏することができる。
【００９５】
ところで、本実施形態のノイズフィルタ１（１Ａ，１Ｂ，１Ｃ，１Ｄ，１Ｅ，１Ｆ）では、第１電線ＷＥ１と第２電線ＷＥ２との間にフィルタ回路１０を介在させるものとして例示しているので、第１電線ＷＥ１とフィルタ回路１０との間の電気的な接続構造及び第２電線ＷＥ２とフィルタ回路１０との間の電気的な接続構造（第１及び第２の電気接続構造）の双方について、弾性を利用するものとして示している。しかしながら、本実施形態のノイズフィルタ１（１Ａ，１Ｂ，１Ｃ，１Ｄ，１Ｅ，１Ｆ）では、そのそれぞれの接続構造の内の一方について弾性を利用するものとし、その内の他方を別の接続構造のものとしてもよい。
【符号の説明】
【００９６】
１，１Ａ，１Ｂ，１Ｃ，１Ｄ，１Ｅ，１Ｆ  ノイズフィルタ
１０  フィルタ回路
１１  ノイズ低減素子
１２，３１２，５１２  第１回路接続部材
１３，３１３，５１３  第２回路接続部材
２０，１２０，２２０，５２０  筐体
２４，１２４，２２４，５２４  第１挟持体
２５，１２５，２２５，５２５  第２挟持体
３０，３３０，４３０，５３０  第１電気接続構造
３１  第１電線側接続体
３２，３３２，５３２  第１回路側接続体
４０，３４０，４４０，５４０  第２電気接続構造
４１  第２電線側接続体
４２，３４２，５４２  第２回路側接続体
ＷＥ１  第１電線
ＷＥ１ａ  中間接続部
ＷＥ２  第２電線
ＷＥ２ａ  中間接続部
ＷＥａ  芯線
ＷＨ  ワイヤハーネス
ＷＴ  幹線
【図１】
2020010121.tif 000003
【図２】
2020010121.tif 000004
【図３】
2020010121.tif 000005
【図４】
2020010121.tif 000006
【図５】
2020010121.tif 000007
【図６】
2020010121.tif 000008
【図７】
2020010121.tif 000009
【図８】
2020010121.tif 000010
【図９】
2020010121.tif 000011
【図１０】
2020010121.tif 000012
【図１１】
2020010121.tif 000013
【図１２】
2020010121.tif 000014
【図１３】
2020010121.tif 000015
【図１４】
2020010121.tif 000016
【図１５】
2020010121.tif 000017
【図１６】
2020010121.tif 000018
【図１７】
2020010121.tif 000019
【図１８】
2020010121.tif 000020
【図１９】
2020010121.tif 000021
【図２０】
2020010121.tif 000022